(57)【要約】【課題】別体の中蓋を用いて収納容器からウェットシートを引き出せるようにする。【解決手段】パックＰ上には、板体状の中蓋４が載置されており、中蓋４の中央部に切込部４ａから成るシート係止手段が設けられている。ウェットシートＳの使用時には、容器本体１に内蔵されたパックＰから中蓋４の切込部４ａを介してウェットシートＳを指Ｆで摘んで１枚ずつ引き出す。最上層のウェットシートＳの引き出しにより、次の層のウェットシートＳも引き出されて切込部４ａに係止されるので、次の引き出しは係止されているこのウェットシートＳを摘んで取り出せばよい。  ウェットシートＳの引き出しが終わると、中蓋４はウェットシートＳを切込部４ａに係止したまま自重でパックＰ上に落下するので、最上層の引き出し途中のウェットシートＳは中蓋４とパックＰとの間に押し潰されて、ウェットシートＳの乾燥が防止される。【選択図】図１１
2013116753.tif 000002
【特許請求の範囲】
【請求項１】
複数のウェットシートを折り畳んで積層し順次に１枚ずつ続いて引き出し可能にしたパックを内部に収納する容器本体と、該容器本体に対しヒンジ機構により開閉自在な上蓋とを備えたウェットシートの収納容器において、前記容器本体の内部に中央部にウェットシートの一部を係止するシート係止手段を設けた前記容器本体とは別体の板体状の中蓋を備え、該中蓋を前記容器本体内に収容した前記パックの上に載置し、前記パックの最上層の前記ウェットシートの一部を前記中蓋のシート係止手段に係止することを特徴とするウェットシートの収納容器。
【請求項２】
前記容器本体の上部中央にはシート取出口を設け、該シート取出口から前記容器本体内で前記中蓋のシート係止手段に一部を係止した前記ウェットシートを取り出すことを特徴とする請求項１に記載のウェットシートの収納容器。
【発明の詳細な説明】
【技術分野】
【０００１】
本発明は、清掃用のウェットシートを収納するウェットシートの収納容器に関するものである。
【背景技術】
【０００２】
通常、顔や乳幼児の尻等を拭くためのウェットシートは、合成フィルム製パックにより密封されて販売されており、使用時には開口部に粘着剤により接着された粘着シートをめくり、ウェットシートを１枚ずつ引き出して使用する。
【０００３】
しかし、例えば乳幼児を抱えたまま、その都度、片手で粘着シートを剥がし、ウェットシートを１枚ずつパックから取り出すことはなかなか面倒である。
【０００４】
そこで、例えば特許文献１に示すように、ウェットシートをパックに収容し、ワンタッチで蓋部を開閉し、ウェットシートを取り出すための蓋付収納容器が知られている。
【０００５】
しかし、この場合にウェットシートを使うにつれ、ウェットシート積層体を収納したパックの高さが低くなり、ついにはシート取出口から指を挿し込み、ウェットシートの一部を摘み出すことが困難となることがある。
【０００６】
そのために、図１２に示す引用文献２のように、容器本体ａに被せる蓋体ｂに切込みｃを設けたシート係止手段ｄを一体に設け、パックＰ内のウェットシートＳが１枚ずつ分離され、また次のウェットシートＳが引き出し易いように、その一部が切込みｃに係止されるような構造が知られている。
【先行技術文献】
【特許文献】
【０００７】
【特許文献１】特開２００９−２２７３１３号公報
【特許文献２】特開平１１−３４２０９１号公報
【発明の概要】
【発明が解決しようとする課題】
【０００８】
しかし、この引用文献２の場合には、シート係止手段ｄは容器本体ａに設けられているために、仮にウェットシートＳがシート係止手段ｄから外れて落ちると、切込みｃから指を挿し込み、ウェットシートＳを摘み出さなければならず、指が痛くなる思いをする。
【０００９】
また、ウェットシートＳの積層体が高さが低くなると、次に引き出すべきウェットシートはシート係止手段ｄとパックＰの間で垂れ下がって容器本体ａ内に露出していることになり、ウェットシートＳのこの部分は乾燥し易くなる。従って、時間の経過と共に最上層のウェットシートＳが乾燥して、やがては下層のウェットシートも乾燥してしまうという問題点がある。
【００１０】
本発明の目的は、上述の課題を解消し、容器本体とは別体の中蓋に設けたシート係止手段により、ウェットシートの取り出しを容易とし、更にはウェットシートが乾燥し難いウェットシートの収納容器を提供することにある。
【課題を解決するための手段】
【００１１】
上記の課題を解決するための本発明に係るウェットシートの収納容器は、複数のウェットシートを折り畳んで積層し順次に１枚ずつ続いて引き出し可能にしたパックを内部に収納する容器本体と、該容器本体に対しヒンジ機構により開閉自在な上蓋とを備えたウェットシートの収納容器において、前記容器本体の内部に中央部にウェットシートの一部を係止するシート係止手段を設けた前記容器本体とは別体の板体状の中蓋を備え、該中蓋を前記容器本体内に収容した前記パックの上に載置し、前記パックの最上層の前記ウェットシートの一部を前記中蓋のシート係止手段に係止することを特徴とする。
【発明の効果】
【００１２】
本発明に係るウェットシートの収納容器によれば、ウェットシートのシート係止手段を有する中蓋をウェットシート積層体を入れたパック上に載置することにより、ウェットシートを容易に取り出すことができると共にウェットシートの乾燥を防止する。
【図面の簡単な説明】
【００１３】
【図１】ウェットシートの収納容器の上蓋を閉止した状態の斜視図である。
【図２】上蓋を開いた状態の斜視図である。
【図３】収納容器の断面図である。
【図４】中蓋の斜視図である。
【図５】上蓋を取り外した状態の容器本体の斜視図である。
【図６】上蓋の斜視図である。
【図７】上蓋を閉止した状態の断面図である。
【図８】開閉錠止部の説明図である。
【図９】上蓋を開閉可能位置に移動した状態の断面図である。
【図１０】上蓋を開いた状態の断面図である。
【図１１】収納容器からウェットシートを取り出す状態の断面図である。
【図１２】従来例のウェットシートの収納容器の分解斜視図である。
【発明を実施するための形態】
【００１４】
本発明を図１〜図１１に示す図示の実施例に基づいて詳細に説明する。
図１は本実施例におけるウェットシートを収容する合成樹脂製のウェットシートの収納容器の上蓋を閉止した状態の斜視図、図２は上蓋を開いた状態の斜視図である。容器本体１の上部には上蓋２が設けられ、下部は下蓋３により閉塞されている。
【００１５】
図３は収納容器の断面図であり、容器本体１内にはウェットシートＳを積層したパックＰが収納されている。パックＰ内の最上層のウェットシートＳを引き出すと、次層が順次に引き出されるように折り畳まれて積層されている。
【００１６】
パックＰの上面には、図４に示す合成樹脂材から成る板体状の中蓋４が載置されており、中蓋４の中央部に切込部４ａから成るシート係止手段が設けられている。また、中蓋４の周辺部４ｂは、中蓋４をパックＰ上に載置した場合に納まりが良いように、中央部よりも低い平坦面とされている。
【００１７】
容器本体１の上面には、周囲よりも低段となった凹部１ａが形成され、凹部１ａの中央には、ウェットシートＳを取り出すためのシート取出口１ｂが設けられている。そして、シート取出口１ｂの周縁は立ち上げ部１ｃとされ、上蓋２を閉止した状態で、立ち上げ部１ｃの上端は上蓋２の裏面にほぼ密着するようにされている。
【００１８】
上蓋２の前後方向の長さは、容器本体１の凹部１ａの前後方向の長さよりも短くされ、上蓋２は容器本体１に対して後方の後述するヒンジ機構により連結され開閉自在とされている。この上蓋２の周囲には立ち下がり部２ａが設けられ、上蓋２を閉止すると上蓋２は凹部１ａ内に収容され、上蓋２の表面２ｂは容器本体１の上面と面一とされている。
【００１９】
図５は上蓋２を取り外した容器本体１の斜視図であり、容器本体１のヒンジ機構寄りの凹部１ａには、更に一段と低くなった回転用凹部１ｄが設けられている。この回転用凹部１ｄの両側には水平方向を向く長溝から成る回転軸受溝１ｅ、１ｅが形成されており、この長溝の形状は長手方向の後部が所定幅の平行部１ｆとされ、前部が略円形部１ｇとされている。
【００２０】
一方、図６は上蓋２の斜視図であり、上蓋２の後側のヒンジ機構の近傍の立ち下がり部２ａは半円弧状に成形されている。ヒンジ機構の一部として、上蓋２の後部の両側部から回転軸２ｃ、２ｃが外側に向けて突出され、回転軸２ｃ、２ｃは円柱形の一部がＤカット状に平坦に切欠されている。回転軸２ｃ、２ｃの円形の径は回転軸受溝１ｅ、１ｅの円形部１ｇの径とほぼ同等とされ、Ｄカットされた部分の径は平行部１ｆの幅とほぼ同等とされている。回転軸２ｃ、２ｃを容器本体１の回転軸受溝１ｅ、１ｅに嵌入することにより、上蓋２は容器本体１と一体化される。これにより、回転軸２ｃ、２ｃが円形部１ｇ、１ｇに位置すると上蓋２は上方に回動可能となり、平行部１ｆ、１ｆに位置すると上蓋２は凹部１ａ内において前後方向に摺動可能となる。
【００２１】
また、図７は上蓋２を閉止した状態の断面図である。容器本体１の回転用凹部１ｄの前側中央部には、更に一段と低いばね収容部１ｈが設けられており、このばね収容部１ｈの回転用凹部１ｄ寄りに溝状のばね端固定部１ｉが形成されている。
【００２２】
一方、上蓋２の裏側に設けられたヒンジ機構の近傍の中央部には、他方のばね端固定部２ｄが設けられている。例えば、合成ゴムから成り弾性部材として帯状のばね５の端部が、ばね端固定部１ｉ、２ｄにそれぞれ取り付けられており、ばね５は上蓋２を前方に押し出すと共に、上蓋２を上方に押し上げる付勢力を備えている。
【００２３】
また、容器本体１の凹部１ａの前部中央には摺動ガイド片１ｊが突出されており、摺動ガイド片１ｊは内側に向けて傾斜面を有している。また、凹部１ａの前部両側の内壁から凹部１ａの内側に向けて係止片１ｋ、１ｋが突出されている。係止片１ｋ、１ｋの位置に相当する閉止した上蓋２の立ち下がり部２ａには、斜め方向に形成された係止溝２ｅ、２ｅが設けられ、係止溝２ｅ、２ｅの上部は係止片１ｋ、１ｋを係止可能とされ下部は開放されている。図７に示すような上蓋２が閉止した状態では、係止片１ｋ、１ｋは係止溝２ｅ、２ｅへの係止がなされ、上蓋２を開くことができないようにされている。
【００２４】
更に、容器本体１の上面の凹部１ａの外側には、上蓋２の前後方向への移動を防止するための開閉錠止部６が設けられている。この開閉錠止部６は操作部６ａと突出部６ｂが容器本体１内において連結されており、操作部６ａは容器本体１の上面に設けた孔部１ｌ内に位置し、突出部６ｂは凹部１ａの内壁に設けた孔部１ｍ内に位置している。
【００２５】
これにより、図８の（ａ）から（ｂ）に示すように、操作部６ａを孔部１ｌにおいて凹部１ａの方向に押すと、突出部６ｂは孔部１ｍから凹部１ａに入り込むようにされている。一方、閉止した状態の上蓋２の側部の立ち下がり部２ａの突出部６ｂに相当する位置には、上蓋２の閉止時に突出部６ｂが入り込む錠止孔２ｆが設けられている。
【００２６】
また、必要に応じて上蓋２の表面２ｂには、上蓋２の開閉操作方向を示す開矢印２ｇ、閉矢印２ｈが刻印又は印刷されている。
【００２７】
図７に示す上蓋２の閉止時には、上蓋２は後方に移動した状態であり、ヒンジ機構の回転軸２ｃ、２ｃは回転軸受溝１ｅ、１ｅの平行部１ｆに位置しており、この状態で回転軸２ｃ、２ｃの回動が不能とされている。このとき、ばね５の長さには余剰が生じ、この余剰部はばね収容部１ｈに収容されている。また、容器本体１の係止片１ｋ、１ｋは上蓋２の係止溝２ｅ、２ｅの係止位置に位置しているため、これによっても上蓋２が開くことはない。
【００２８】
更には、開閉錠止部６の操作部６ａが押されて、突出部６ｂが上蓋２の錠止孔２ｆ内に挿入されていれば、この錠止により上蓋２を前後方向に平行移動することはできない。
【００２９】
使用時には、ウェットシートＳの積層体を入れたパックＰの開口部の粘着シートを剥し、パックＰの上に中蓋４を載置して、最上層のウェットシートＳを中蓋４のシート係止手段の切込部４ａに下方から挿通してウェットシートＳを摘んで引き出せるようにする。このようにしたパックＰを容器本体１の下蓋３を外して容器本体１内に収容し、再び容器本体１に下蓋３を装着する。
【００３０】
このような状態で上蓋２を開けるには、開閉錠止部６の操作部６ａを動かして錠止を外してから、図９に示すように上蓋２の後部を押して上蓋２を前方に摺動させる。この摺動はばね４の前方への付勢力を作用するので軽く押すだけで足りる。この移動により、回転軸２ｃ、２ｃは回転軸受溝１ｅ、１ｅの円形部１ｇに移動し、また容器本体１の係止片１ｋ、１ｋは上蓋２の係止溝２ｅ、２ｅの開放部に位置する。この状態で、上蓋２から手を離すと、ばね５の上方への付勢力により上蓋２は図１０に示すように上方に開放され、上蓋２はばね５によりこの開いた状態が維持されることになる。
【００３１】
ウェットシートＳの使用時には、上蓋２を開いた状態で、図１１に示すように容器本体１に内蔵されたパックＰから中蓋４の切込部４ａを介してウェットシートＳを指Ｆで摘んで１枚ずつ引き出す。この状態において、使用者は容器本体１のシート取出口１ｂ内に指Ｆを挿し込み、中蓋４に係止されている最上層のウェットシートＳを摘み出す。
【００３２】
シート取出口１ｂの周縁には立ち上げ部１ｃが設けられているため、ウェットシートＳがシート取出口１ｂに引っ掛らずに取り出すことができる。ウェットシートＳを摘んで引き上げると、ウェットシートＳの切込部４ａに対する抵抗により、中蓋４は容器本体１の凹部１ａの裏側まで引き上げられて一時的に固定され、ウェットシートＳを引き出すことができる。
【００３３】
最上層のウェットシートＳの引き出しにより、次の層のウェットシートＳも引き出されて切込部４ａに係止されるので、次の引き出しはこの係止されているウェットシートＳを摘んで取り出せばよい。
【００３４】
ウェットシートＳの引き出しが終わると、図３に示すように、中蓋４はウェットシートＳを切込部４ａに係止したまま自重でパックＰ上に落下するので、最上層の引き出し途中のウェットシートＳは中蓋４とパックＰとの間に押し潰されて、中蓋４により覆われ、ウェットシートＳの乾燥が防止される。
【００３５】
使用が終了し、上蓋２を閉じる際に上蓋２の表面２ｂを下方に押すと、上蓋２はヒンジ機構を介して回動し、図９に示すように上蓋２の先端を立ち下げ部１ｃの下縁が摺動ガイド片１ｊに接触する。更に上蓋２を下方に押し込むと、上蓋２は摺動ガイド片１ｊの傾斜面に案内されながら、ばね５の付勢力に抗して後方に若干移動し、係止溝２ｅ、２ｅの一部に係止片１ｋ、１ｋが仮係止され、上蓋２は手を離しても閉止された状態となる。
【００３６】
続いて、上蓋２を後方に押して図７に示す位置に摺動すると、上蓋２の回転軸２ｃ、２ｃは容器本体１の回転軸受溝１ｅ、１ｅの平行部１ｆに押し込まれると共に、上蓋２の係止溝２ｅ、２ｅに容器本体１の係止片１ｋ、１ｋが完全に係止されるので、容器本体１に対して上蓋２が閉止状態で固定される。
【００３７】
更に、開閉錠止部６を操作して上蓋２を容器本体１に対し錠止すれば、上蓋２の摺動が規制され、また上方への開動も規制される。
【００３８】
なお、実施例においては上蓋２を閉止した状態において、容器本体１のシート取出口１ｂの上縁は上蓋２の裏面に接するようにしているので、容器本体１の内部は比較的密閉され、ウェットシートＳの一部が中蓋４上に露出していても、従来例に比べれば乾燥は緩慢となる。
【符号の説明】
【００３９】
１  容器本体
１ａ  凹部
１ｂ  シート取出口
２  上蓋
３  下蓋
４  中蓋
４ａ  切込部
５  ばね
６  開閉錠止部
Ｐ  パック
Ｓ  ウェットシート
【図１】
2013116753.tif 000003
【図２】
2013116753.tif 000004
【図３】
2013116753.tif 000005
【図４】
2013116753.tif 000006
【図５】
2013116753.tif 000007
【図６】
2013116753.tif 000008
【図７】
2013116753.tif 000009
【図８】
2013116753.tif 000010
【図９】
2013116753.tif 000011
【図１０】
2013116753.tif 000012
【図１１】
2013116753.tif 000013
【図１２】
2013116753.tif 000014